(57)【要約】      （修正有）【課題】ガードマークと軸流ファンのハブとの間に軸方向に循環する流れをつくるため、ハブ近傍の流れが循環する流れに誘引されて流速が上昇し、風速性能が向上する扇風機を提供する。【解決手段】フロントガードの中心部にガードマーク８があり、そのガードマークの軸流ファン側中心部分に円錐筒状の突起１０があり、その円錐筒状の突起は、底の基台１１と、その基台より小径で円形の頂部１２を有し、ガードマークの軸流ファン側側面の端縁から円錐筒状の突起の頂部に亘って、軸流ファンの回転方向の反対方向に向かって弧が閉じるように形成された円弧状の整流板１３を複数備えている構成になっている。【選択図】図３
2019116839.tif 000002
【特許請求の範囲】
【請求項１】
複数の羽根を有し、モータによる回転によって風を送風する軸流ファンと、前記軸流ファンの上流側に設けられたリアガードと、前記軸流ファンの下流側に設けられたフロントガードとを備えた扇風機において、前記フロントガードの中央には、円盤形状のガードマークがあり、前記ガードマークの軸流ファン側の裏面より軸流ファンに向かって突設した円錐筒状の突起を備え、前記突起は、底の基台と、前記基台より小径な頂部を有し、さらに、前記ガードマークの前記軸流ファン側側面の端縁から前記円錐筒状の突起の前記頂部に亘って前記軸流ファンの回転方向の反対方向に向かって弧が閉じるように形成された円弧状の整流板が複数備えたられたことを特徴とする扇風機。
【請求項２】
前記ガードマークの外径は前記軸流ファンのハブの下流側の径よりも大きくなっていることを特徴とするとする請求項１記載の扇風機。
【発明の詳細な説明】
【技術分野】
【０００１】
本発明は、居室内の天井や壁、床面等に設置されて直接気流による体感温度の減少や室内の空気の循環に使用される扇風機に関するものである。
【背景技術】
【０００２】
従来この種の扇風機は、フロントガードの中心にあるガードマークの送風性能向上のための形状として、例えば、特許文献１に記載されている構成が示されている。
以下、その構成について、図５、図６を参照しながら説明する。
【０００３】
図５は従来の扇風機に用いられるガードマーク１０１の構成を示す斜視図であり、図６は、フロントガード１０２の中心部にガードマーク１０１が取り付いている扇風機の側面図である。図５に示すように、ガードマーク１０１は、軸流ファン側に円錐筒型の頂部が突設し、頂部は平面で円錐筒を閉じた形状である円錐筒部１０３と円錐筒部１０３の頂部の反対側の先端側は開口しており、円錐筒部１０３の先端側には、先端側から軸流ファン方向に突出するように、円錐筒部１０３の外周にリブ１０４が設けられている。円錐筒部１０３は、円形状の先端側端部１０５と先端側端部１０５より小径の円形状の頂部側端部１０６を有する。ガードマーク１０１は、フロントガード１０２の中心部にあり、扇風機からの送風は、円錐筒部の頂部側端部１０６から先端側端部１０３に向かって通過し、通過した送風が拡散性を有するように形成している。
【先行技術文献】
【特許文献】
【０００４】
【特許文献１】実用新案登録第３２０９４５２号公報
【発明の概要】
【発明が解決しようとする課題】
【０００５】
このような従来の扇風機のガードマークでは、軸流ファンから送風した風がガードマークの円錐筒部の頂部側から、頂部より大径な先端側端に向かって円錐筒部に沿って流れることで、ガードマーク近傍から径方向の気流を形成し、風を径方向へ拡散さることで送風性能の向上を図っていた。しかしながら、上記構成では、ハブ近傍の羽根から送風された軸方向の気流は、円錐筒部に沿って径方向に流れる気流によって拡散されることで阻害される。よって、扇風機の中心付近では軸方向の気流の風速が低減することで、扇風機で発生する気流の直進性が低減し、遠方まで送風することが困難であった。そこで、本発明は、軸流ファンの中心付近の軸方向流れを増加させて、直進性を向上させる扇風機を提供することを目的とする。
【課題を解決するための手段】
【０００６】
そして、この目的を達成するために、本発明は、複数の羽根を有し、モータによる回転によって風を送風する軸流ファンと、軸流ファンの上流側に設けられたリアガードと、軸流ファンの下流側に設けられたフロントガードとを備え扇風機において、フロントガードの中央には円盤状のガードマークがあり、そのガードマークの軸流ファン側の裏面より軸流ファンに向かって突設した円錐筒状の突起を備え、その突起は、底の基台と、前記基台より小径な頂部を有し、さらに、ガードマークの軸流ファン側側面の端縁から円錐筒状の突起の頂部に亘って軸流ファンの回転方向の反対方向に向かって弧が閉じるように形成された円弧状の整流板が複数備えたものであり、これにより所期の目的を達成するものである。
【発明の効果】
【０００７】
これにより、ガードマークと軸流ファンのハブとの間に軸方向に循環する流れをつくるため、ハブ近傍の流れが循環する流れに誘引されて流速が上昇し、風速性能が向上する。
【図面の簡単な説明】
【０００８】
【図１】本発明の実施の形態１の斜視図である。
【図２】実施の形態１の側面図である。
【図３】ガードマーク８を上流側から見た斜視図である。
【図４】（ａ）ガードマーク８に円錐筒状の突起１０、整流板１３がない場合の断面図、（ｂ）ガードマーク８に円錐筒状の突起１０、整流板１３がある場合の下流側からみた斜視図、（ｃ）ガードマーク８に円錐筒状の突起１０、整流板１３がある場合の断面図である。
【図５】従来の扇風機のガードマークの形状を示す斜視図である。
【図６】従来の中心部にガードマークが取り付いている扇風機の斜視図である。
【発明を実施するための形態】
【０００９】
本発明の請求項１に係わる扇風機は、複数の羽根を有し、モータによる回転によって風を送風する軸流ファンと、軸流ファンの上流側に設けられたリアガードと、軸流ファンの下流側に設けられたフロントガードとを備えた扇風機において、フロントガードの中央には、円盤状のガードマークがあり、ガードマークの軸流ファン側の裏面より軸流ファンに向かって突設した円錐筒状の突起を備え、その突起は、底辺となる基台と、基台より小径な突起の頂部を有し、さらに、ガードマークの軸流ファン側側面の端部から円錐筒状の突起の頂部に亘って軸流ファンの回転方向の反対方向に向かって弧が閉じるように形成された円弧状の整流板が複数備えている。
【００１０】
これにより、ガードマークと軸流ファンのハブとの間に軸方向に循環する循環流をつくることで、ハブ近傍の流れが循環する流れに誘引されて流速が上昇することで風速性能が向上する。すなわち、ガードマーク及びハブの外周側においては、軸流ファンの送風に誘引され、軸流ファンの送風方向に沿って気流が発生し、さらにこの気流は、ガードマークの整流板によって、軸流ファンの回転方向の成分を保持し、ガードマークの中心部に向かって案内され、その後、ガードマークの中心部に導出された気流は、ハブ側すなわち軸流ファンの送風方向と反対側に導出され、さらにハブの中央部に導出された気流は、ハブの外周側に向かって導出される。この気流の流れによって循環流が形成される。この循環流によって、発生するガードマーク及びハブの外周側における送風方向に沿った気流が発生することで、ガードマーク及びハブの近傍の上流から下流に流れる気流を誘引し、流速を速めることができるため、扇風機による風速性能を向上させることができる。
【００１１】
また、請求項２に係る扇風機は、ガードマークの外径は軸流ファンのハブの下流側の径よりも大きくなっていることを特徴とする。この構成により、ハブ近傍に位置する羽根で昇圧された気流がガードマークに当接し、ガードマーク及びハブの外周側においては、軸流ファンの送風方向に沿って気流が発生する。この気流は、請求項１の構成で発生する循環流と同じ方向の気流であるため、循環流の風速を向上させることができる。したがって、風速が向上した循環流は、ガードマーク及びハブの近傍の上流から下流に流れる気流を誘引し、流速を早めることができるため、扇風機による風速性能を向上させることができる。
【００１２】
以下、本発明の実施の形態について説明をする。
【００１３】
（実施の形態１）
図１は、本発明にかかる扇風機１の斜視図であり、図２は、本発明にかかる扇風機１の側面図であり、図３は本発明にかかる扇風機１のフロントガード７のガードマーク８を上流側から見た斜視図である。
【００１４】
図１、図２及び図３について説明する。扇風機１は、中心部のハブ２に取り付いた複数枚の羽根３を有した軸流ファン４と、軸流ファン４を回転させるためのモータ（図示せず）と、軸流ファン４の上流側に設けられたモータを内包するモータハウジング５とで構成されている。
【００１５】
また、軸流ファン４を側面側および軸流ファン４の上流側である背面側を覆い、異物が軸流ファン４に接触しないように保護する金属製又は樹脂製の線材で形成されたリアガード６と、軸流ファン４の下流側である正面側から覆い軸流ファン４に異物が接触しないように保護する金属製又は樹脂製の線材で形成されたフロントガード７を備えており、フロントガード７は、中央に円盤状のガードマーク８が設けられている。また、フロントガード７は、フロントガード７の最外周にある外周リング９によってリアガード６に固定されている。フロントガード７の中心部にガードマーク８があり、そのガードマーク８の裏面の中心部分より軸流ファン４に向かって突設した円錐筒状の突起１０を備え、その円錐筒状の突起１０は、底辺となる基台１１と、基台１１より小径な突起の頂部１２を有し、さらに、ガードマーク８の軸流ファン４側側面の端縁から円錐筒状の突起１０の頂部１２に亘って軸流ファン４の回転方向の反対方向に向かって弧が閉じるように形成された円弧状の整流板１３が複数備えている構成になっている。ガードマーク８の裏面とは、軸流ファンに対向する面である。
【００１６】
図４（ａ）にガードマーク８に円錐筒状の突起１０、整流板１３がない場合の断面図を、図４（ｂ）にガードマーク８に円錐筒状の突起１０、整流板１３がある場合の下流側からみた斜視図を、図４（ｃ）にガードマーク８に円錐筒状の突起１０、整流板１３がある場合の断面図を示す。図４を用いて、ガードマーク８近傍の流れを説明する。
【００１７】
図４（ａ）より、ハブ２の下流側面では軸方向に流れる羽根３がないため、軸流ファン４が回転している場合軸流ファン４の回転によって、軸流ファン４のハブ２も回転し、ハブ２の回転によって、ハブ２の下流平面が近傍の空気を粘性によって同方向に回転させて、軸流ファン４と同方向に旋回させ、ハブ２の下流側からガードマーク８の上流側の区間に旋回流１４が発生し、扇風機１から吹き出される風に影響を及ぼさない。
【００１８】
図４（ｂ）より、ガードマーク８とハブ２間の旋回流１４は、ガードマーク８及びハブ２の外周側においては、軸流ファンの送風に誘引され、軸流ファンの送風方向に沿って気流が発生し、さらにこの気流は、ガードマーク３の整流板１３によって、軸流ファン４の回転方向の成分を保持し、ガードマーク８の中心部に向かって導出され、このとき、ガードマーク８の中心部に導出された気流は、ハブ２側すなわち軸流ファン４の送風方向と反対側に導出され、さらにハブ２の中央部に導出された気流は、ハブ２の外周側に向かって導出される。
【００１９】
整流板１３が軸流ファン４の回転方向の反対方向に向かって弧が閉じるように形成されているため、旋回流１４は、ガードマーク８の中心部方向に向かうように流れ、このとき円錐筒状の突起１０の斜面を基台１１から頂部１２へ、すなわち軸流ファン４の送風方向と反対側であるガードマーク８から軸流ファン４のハブ２に向かう。
【００２０】
図４（ｃ）に示すように、ガードマーク８とハブ２間の旋回流１４は、軸方向に循環する流れである循環流１５となり、ハブ２近傍の羽根３から昇圧された軸流ファン４の上流から下流に流れる気流は、この循環流１５に誘引されて、速度を増し、扇風機１から吹き出される風のハブ２近傍の流れの速度が増すことで、送風性能が向上する。
【００２１】
また、軸流ファン４が例えば、半径２５０ｍｍ、ガードマーク８の半径５０ｍｍ、ハブ２の半径５０ｍｍ、ガードマーク８とハブ２の下流側面との距離が５０ｍｍ、整流板１３、円錐筒状の突起１０の高さが２０ｍｍの寸法で軸方向の循環する流れ１５ができる。
【００２２】
また、ガードマーク８の半径５０ｍｍに対して、ハブ２の下流側面の半径が小さく、例えばハブ２の下流側面の半径が４０ｍｍとなっていると、ハブ２近傍の羽根３から昇圧した軸方向の流れの一部がガードマーク８とハブ２との間でできる循環流１５が速くなり、その速くなった循環流１５に誘引されて、ハブ２近傍の羽根３から昇圧された流れは速度を増し扇風機１から吹き出される風のハブ２近傍の流れの速度が増すことで、送風性能が向上する。
【産業上の利用可能性】
【００２３】
本発明にかかる、扇風機は、軸流ファンに吸込む流れの抵抗を抑制し、直進性を向上させることができるので、リビングや、会議室、食堂などの大空間の壁面に取り付けて多数の人が涼感を得るための扇風機として有用である。
【符号の説明】
【００２４】
１    扇風機
２    ハブ
３    羽根
４    軸流ファン
５    モータハウジング
６    リアガード
７    フロントガード
８    ガードマーク
９    外周リング
１０    円錐筒状の突起
１１    基台
１２    頂部
１３    整流板
１４    旋回流
１５    循環流
【図１】
2019116839.tif 000003
【図２】
2019116839.tif 000004
【図３】
2019116839.tif 000005
【図４】
2019116839.tif 000006
【図５】
2019116839.tif 000007
【図６】
2019116839.tif 000008